(57)【要約】      （修正有）【課題】ＬＥＤに対する導光板の固定力を向上させること。【解決手段】面状照明装置１０は、導光板１５と、基板１２と、光源１４と、第１固定部材１６と、第２固定部材１７とを備える。導光板１５は、側面１５ａと主面１５ｂとを有し、側面１５ａから入射される光を主面１５ｂから出射する。基板１２は、導光板１５の主面１５ｂと略平行に配置される。光源１４は、基板上において導光板１５の側面１５ａに対向して設けられ、側面１５ａに入射される光を発する発光面を有する。第１固定部材１６は、導光板１５と基板１２との間に配置され、導光板１５を基板１２に固定する。第２固定部材１７は、導光板１５に対して第１固定部材１６とは反対側に配置され、導光板１５を光源１４に固定する。【選択図】図３
2019061934.tif 000002
【特許請求の範囲】
【請求項１】
側面と主面とを有し、前記側面から入射される光を前記主面から出射する導光板と、
前記導光板の前記主面と略平行に配置される基板と、
前記基板上において前記導光板の前記側面に対向して設けられ、前記側面に入射される光を発する発光面を有する光源と、
前記導光板と前記基板との間に配置され、前記導光板を前記基板に固定する第１固定部材と、
前記導光板に対して前記第１固定部材とは反対側に配置され、前記導光板を前記光源に固定する第２固定部材と、
を備える、面状照明装置。
【請求項２】
前記第２固定部材は、前記光源と前記導光板とに接着される接着層を有し、
前記接着層は、前記光源の前記発光面に対して、当該発光面から光が出射される側を除いた領域に設けられる、
請求項１に記載の面状照明装置。
【請求項３】
前記光源は、前記基板上に複数配列され、
前記接着層は、隣接する光源間において、一方の光源の前記発光面の端部から、当該端部に隣接する、他方の光源の前記発光面の端部に跨って設けられる、
請求項２に記載の面状照明装置。
【請求項４】
前記光源の前記発光面に対して、当該発光面から光が出射される側を覆うように配置される遮光部材をさらに備える、
請求項２または３に記載の面状照明装置。
【請求項５】
前記主面を覆うように配置される拡散シートをさらに備え、
前記遮光部材は、前記拡散シートに設けられる、
請求項４に記載の面状照明装置。
【請求項６】
前記第２固定部材は、基材と前記接着層とを有し、
前記遮光部材は、前記基材において前記接着層とは反対側の面に設けられる、
請求項４に記載の面状照明装置。
【請求項７】
前記第２固定部材は、前記遮光部材と前記接着層とを有し、
前記接着層は、前記遮光部材において前記導光板側の面に設けられる、
請求項４に記載の面状照明装置。
【請求項８】
前記主面を覆うように配置されるプリズムシートをさらに備え、
前記プリズムシートの端部は、前記遮光部材に重なっている、
請求項４〜７のいずれか一つに記載の面状照明装置。
【請求項９】
前記第２固定部材は、前記主面側に配置される、
請求項１〜８のいずれか一つに記載の面状照明装置。
【発明の詳細な説明】
【技術分野】
【０００１】
本発明は、面状照明装置に関する。
【背景技術】
【０００２】
サイドビュー型のＬＥＤ（Light  Emitting  Diode）が導光板の側面に対向して配置されるエッジライト型の面状照明装置がある。近年、面状照明装置の狭額縁化の要求にともない、導光板をＬＥＤに対して固定する固定部材の狭小化が求められている。
【先行技術文献】
【特許文献】
【０００３】
【特許文献１】特開２００６−４０７５５号公報
【発明の概要】
【発明が解決しようとする課題】
【０００４】
しかしながら、かかる固定部材を狭小化した場合、導光板に対する固定部材の接着面積が小さくなるので、ＬＥＤに対して導光板を固定する力（以下、固定力とも呼称する。）が、信頼性を十分に保つだけの強さを維持できない場合がある。そして、ＬＥＤの光軸と導光板の光軸とを合わせた状態で強く固定できなくなった場合に、面状照明装置の輝度や輝度分布に悪影響を与える恐れがある。
【０００５】
本発明は、上記に鑑みてなされたものであって、ＬＥＤに対する導光板の固定力を向上させることができる面状照明装置を提供することを目的とする。
【課題を解決するための手段】
【０００６】
上述した課題を解決し、目的を達成するために、本発明の一態様に係る面状照明装置は、導光板と、基板と、光源と、第１固定部材と、第２固定部材とを備える。前記導光板は、側面と主面とを有し、前記側面から入射される光を前記主面から出射する。前記基板は、前記導光板の前記主面と略平行に配置される。前記光源は、前記基板上において前記導光板の前記側面に対向して設けられ、前記側面に入射される光を発する発光面を有する。前記第１固定部材は、前記導光板と前記基板との間に配置され、前記導光板を前記基板に固定する。前記第２固定部材は、前記導光板に対して前記第１固定部材とは反対側に配置され、前記導光板を前記光源に固定する。
【発明の効果】
【０００７】
本発明の一態様によれば、ＬＥＤに対する導光板の固定力を向上させることができる。
【図面の簡単な説明】
【０００８】
【図１】図１は、実施形態に係る面状照明装置の外観の一例を示す上面図である。
【図２】図２は、実施形態に係る面状照明装置の構成を説明するための断面斜視図である。
【図３】図３は、図２のＡ−Ａ線における断面図である。
【図４】図４は、実施形態に係る第１固定部材の配置を示す上面図である。
【図５】図５は、図２のＢ−Ｂ線における断面図である。
【図６】図６は、実施形態の変形例１に係る面状照明装置の断面図である。
【図７】図７は、実施形態の変形例２に係る面状照明装置の断面図である。
【図８】図８は、実施形態の変形例３に係る面状照明装置の断面図である。
【図９】図９は、実施形態の変形例４に係る面状照明装置の断面図である。
【発明を実施するための形態】
【０００９】
以下、実施形態に係る面状照明装置について図面を参照して説明する。なお、以下に説明する実施形態により面状照明装置の用途が限定されるものではない。また、図面は模式的なものであり、各要素の寸法の関係、各要素の比率などは、現実と異なる場合があることに留意する必要がある。さらに、図面の相互間においても、互いの寸法の関係や比率が異なる部分が含まれている場合がある。
【００１０】
＜面状照明装置の概要＞
まずは、面状照明装置１０の概要について、図１を用いて説明する。図１は、実施形態に係る面状照明装置１０の外観の一例を示す上面図である。図１に示すように、実施形態に係る面状照明装置１０は、遮光シート３０で覆われていない出射領域である有効エリア４０から光を出射する。すなわち、遮光シート３０により、有効エリア４０が規定される。
【００１１】
実施形態に係る面状照明装置１０は、液晶表示装置のバックライトとして用いられる。かかる液晶表示装置は、たとえば、スマートフォンに用いられる。
【００１２】
なお、図１において、右側の遮光シート３０よりも左側の遮光シート３０のほうが、幅が広い。これは、右側の遮光シート３０は、後述するＦＰＣ（Flexible  Printed  Circuit）１２やＬＥＤ１４などが含まれない比較的狭い領域を覆う一方で、左側の遮光シート３０は、後述するＦＰＣ１２やＬＥＤ１４などを含む比較的広い領域を覆うためである。左側の遮光シート３０の幅は、たとえば、２．５ｍｍである。
【００１３】
＜面状照明装置の詳細な構成＞
つづいて、面状照明装置１０の詳細な構成について、図２〜図５を参照しながら説明する。図２は、実施形態に係る面状照明装置１０の構成を説明するための断面斜視図である。なお、図２では、ＦＰＣ１２、はんだ１３、ＬＥＤ１４、導光板１５および第２固定部材１７以外の図示を省略している。
【００１４】
図２に示すように、面状照明装置１０は、ＦＰＣ１２と、複数のＬＥＤ１４と、導光板１５とを備える。そして、導光板１５の側面１５ａに沿って、複数のＬＥＤ１４が並んで配置される。ＬＥＤ１４は、発光面１４ａと実装面１４ｂとを有し、発光面１４ａを導光板１５の側面１５ａに対向させた状態で、側面１５ａの長辺方向に沿って並んで配置される。
【００１５】
また、ＬＥＤ１４は、全体として直方体状に形成され、ＦＰＣ１２に実装される実装面１４ｂと垂直な面に発光面１４ａを有する、いわゆるサイドビュー型のＬＥＤである。
【００１６】
次に、面状照明装置１０の各構成部材について、図３を参照しながら説明する。図３は、図２のＡ−Ａ線における断面図であり、ＬＥＤ１４の発光面１４ａ（図２参照）が含まれない部分における断面図である。なお、図３は、図２の断面図ではあるが、図２で図示を省略した構成部材を省略することなく図示した断面図である。
【００１７】
図３に示すように、面状照明装置１０は、フレーム１１と、ＦＰＣ１２と、はんだ１３と、ＬＥＤ１４と、導光板１５と、第１固定部材１６と、第２固定部材１７と、遮光部材１８と、拡散シート１９と、プリズムシート２０と、反射シート２１と、両面テープ２２とを含む。なお、以降の図面においては、図１に示した遮光シート３０の図示を省略している。
【００１８】
フレーム１１は、面状照明装置１０を構成する各構成部材を収容する部材である。フレーム１１は、剛性が大きい、たとえば、ステンレス製の板金フレームである。フレーム１１は、底面１１ａを有する。なお、フレーム１１は、たとえば、樹脂からなる枠状部材と、遮光シートや熱伝導性に優れたグラファイトシートからなり底面１１ａを有する底部とから構成されてもよい。
【００１９】
ＦＰＣ１２は、主面１２ａと裏面１２ｂとを有し、主面１２ａにＬＥＤ１４が実装される基板である。ＦＰＣ１２には、所定の配線パターン（図示せず）が形成されており、かかる配線パターンを介して、外部電源（図示せず）からの電力がＬＥＤ１４に供給され、ＬＥＤ１４を発光させることができる。
【００２０】
ＦＰＣ１２は、ＬＥＤ１４および導光板１５と、フレーム１１の底面１１ａとの間に、導光板１５の主面１５ｂと略平行に配置される。そして、ＦＰＣ１２の裏面１２ｂは、フレーム１１の底面１１ａに当接する。なお、ＦＰＣ１２の裏面１２ｂは、フレーム１１の底面１１ａに接合されていてもよいし、接合されていなくてもよい。
【００２１】
はんだ１３は、ＦＰＣ１２の主面１２ａに形成される配線パターンとＬＥＤ１４の実装面１４ｂとを電気的に接続するとともに、ＬＥＤ１４をＦＰＣ１２に固定する。
【００２２】
ＬＥＤ１４は、点状の光源（点状光源）である。ＬＥＤ１４は、たとえば、青色ＬＥＤと黄色蛍光体とからなる疑似白色ＬＥＤである。ＬＥＤ１４は、導光板１５の側面１５ａに入射される光を発光する。
【００２３】
導光板１５は、透明材料（たとえば、ポリカーボネート樹脂）を用いて平板状に形成されている。導光板１５は、その外表面に、側面１５ａと、主面１５ｂと、裏面１５ｃとを有する。なお、導光板１５は、たとえば、入光側に楔部を有していてもよい。
【００２４】
側面１５ａは、ＬＥＤ１４から発光した光が入射される入射面である。また、主面１５ｂは、側面１５ａから入射された光が外方に出射される出射面である。さらに、主面１５ｂとは反対側の面である裏面１５ｃには、たとえば、複数のドットからなる光路変更パターンが形成される。
【００２５】
かかる光路変更パターンを形成することにより、導光板１５内を進む光の進行方向が変更されて、主面１５ｂから効率的に光が出射される。すなわち、実施形態に係る面状照明装置１０は、いわゆるエッジライト型の照明装置である。
【００２６】
第１固定部材１６は、ＦＰＣ１２の主面１２ａと導光板１５の裏面１５ｃとの間に配置され、導光板１５をＦＰＣ１２に固定する部材である。第１固定部材１６は、たとえば、両面テープであり、一方の面が、ＦＰＣ１２の主面１２ａにおける導光板１５寄りの少なくとも一部に貼り付けられるとともに、導光板１５の裏面１５ｃのＬＥＤ１４寄りの少なくとも一部に貼り付けられる。
【００２７】
ここで、ＬＥＤ１４は、はんだ１３でＦＰＣ１２に固定されていることから、第１固定部材１６は、ＦＰＣ１２とはんだ１３とを介して導光板１５をＬＥＤ１４に固定する。そして、第１固定部材１６は、ＬＥＤ１４の光軸と導光板１５の光軸とが一致された状態で、ＬＥＤ１４の発光面１４ａと導光板１５の側面１５ａとを連結させる。
【００２８】
第２固定部材１７は、導光板１５に対して第１固定部材１６とは反対側に配置され、導光板１５をＬＥＤ１４に固定する部材である。第２固定部材１７は、基材１７ａと、接着層１７ｂとを有する。
【００２９】
基材１７ａは、たとえば、ＰＥＴなどの樹脂で構成される。接着層１７ｂは、ＬＥＤ１４の実装面１４ｂとは反対側の面における導光板１５寄りの少なくとも一部と、導光板１５の主面１５ｂにおけるＬＥＤ１４寄りの少なくとも一部とに接着される。そして、第２固定部材１７は、ＬＥＤ１４の光軸と導光板１５の光軸とが一致された状態で、ＬＥＤ１４の発光面１４ａと導光板１５の側面１５ａとを連結させる。
【００３０】
第２固定部材１７は、たとえば、片面テープである。一方で、第２固定部材１７は、片面テープに限られず、たとえば、両面テープなどであってもよい。
【００３１】
ここまで説明したように、実施形態では、導光板１５の主面１５ｂと裏面１５ｃとに２つの固定部材（第１固定部材１６および第２固定部材１７）を設けて、導光板１５をＬＥＤ１４に固定する。これにより、導光板１５に対する固定部材の接着面積を増加させることができる。したがって、実施形態によれば、ＬＥＤ１４に対する導光板１５の固定力を向上させることができる。
【００３２】
一方で、導光板１５の主面１５ｂに第２固定部材１７を設けた場合、かかる第２固定部材１７の接着層１７ｂに用いられる接着剤の屈折率が導光板１５の屈折率に近いことから、かかる接着剤に光が吸収され、面状照明装置１０の発光効率が低下する場合がある。
【００３３】
そこで、実施形態では、第２固定部材１７に対して、図２に示すように、導光板１５側に突出する複数の突出部１７ｃと、隣接する突出部１７ｃ同士の間に形成される切欠部１７ｄとが設けられる。すなわち、第２固定部材１７は、櫛歯状の形状を有する。
【００３４】
そして、図２に示すように、切欠部１７ｄが、ＬＥＤ１４の発光面１４ａに対して、かかる発光面１４ａから光が出射される側に配置される。換言すると、第２固定部材１７は、ＬＥＤ１４の発光面１４ａに対して、かかる発光面１４ａから光が出射される側を除いた領域に設けられる。
【００３５】
すなわち、接着層１７ｂは、隣接するＬＥＤ１４の間において、一方のＬＥＤ１４の発光面１４ａの端部から、かかる端部に隣接する他方のＬＥＤ１４の発光面１４ａの端部に跨って設けられる。
【００３６】
これにより、実施形態では、発光面１４ａから導光板１５に入射された光が、第２固定部材１７の接着層１７ｂに当たって吸収されることを抑制することができる。したがって、実施形態によれば、面状照明装置１０の発光効率を良好に維持することができる。
【００３７】
また、実施形態では、図４に示すように、第１固定部材１６においても、ＬＥＤ１４の発光面１４ａに対して、かかる発光面１４ａから光が出射される側を除いた領域に設けられる。図４は、実施形態に係る第１固定部材１６の配置を示す上面図である。
【００３８】
たとえば、図４に示すように、島状の第１固定部材１６が、隣接するＬＥＤ１４の境界部に向かい合うように、複数並んで形成される。そして、隣接する第１固定部材１６同士の間には、間隙１６ａが形成され、かかる間隙１６ａが、ＬＥＤ１４の発光面１４ａに対して、かかる発光面１４ａから光が出射される側に配置される。
【００３９】
これにより、実施形態では、発光面１４ａから導光板１５に入射された光が、第１固定部材１６の接着層に当たって吸収されることを抑制することができる。したがって、実施形態によれば、面状照明装置１０の発光効率を良好に維持することができる。
【００４０】
なお、図２および図４では、第１固定部材１６および第２固定部材１７が、発光面１４ａの前方側に入り込まないように配置された例について示しているが、第１固定部材１６または第２固定部材１７の少なくとも一方が、発光面１４ａの前方側に若干入りこむように配置されてもよい。
【００４１】
一方で、図２に示したように、切欠部１７ｄが、ＬＥＤ１４の発光面１４ａに対して、かかる発光面１４ａから光が出射される側に配置された場合、発光面１４ａから出射される光が切欠部１７ｄを通過して外部に漏れる場合がある。かかる漏れる光としては、たとえば、導光板１５に入射されなかった光や、導光板１５に入ってすぐに主面１５ｂから飛び出した光などが挙げられる。
【００４２】
そして、かかる漏れた光は、ホットスポットと呼ばれる局所的に明るい箇所となることから、面状照明装置１０における発光の品位を低下させる恐れがある。
【００４３】
そこで、実施形態では、図５に示すように、切欠部１７ｄを覆うように遮光部材１８を設ける。図５は、図２のＢ−Ｂ線における断面図であり、ＬＥＤ１４の発光面１４ａが含まれる部分における断面図である。なお、図５は、図２の断面図ではあるが、図２で図示を省略した構成部材を省略することなく図示した断面図である。
【００４４】
これにより、空気層を形成する切欠部１７ｄを通過した光が遮光部材１８により吸収されるため、切欠部１７ｄを通過した光が外部に漏れることを抑制することができる。したがって、実施形態によれば、面状照明装置１０における発光の品位を良好に維持することができる。
【００４５】
遮光部材１８は、たとえば、光を遮ることが可能な片面テープである。なお、遮光部材１８は、光を遮ることが可能な片面テープに限られず、光を遮ることが可能な両面テープや、光を遮ることが可能で粘着層のないテープ、遮光性を有するインクで印刷された印刷層などであってもよい。
【００４６】
なお、第１固定部材１６においても、第２固定部材１７の切欠部１７ｄに対応する間隙１６ａが形成されており、かかる間隙１６ａから光が漏れる場合がある。しかしながら、間隙１６ａを下方から覆うように設けられるＦＰＣ１２が遮光性を有することから、間隙１６ａから漏れた光が外部に漏れ出すことはない。
【００４７】
実施形態では、遮光部材１８が、拡散シート１９の導光板１５側の面に、切欠部１７ｄを含んだ第２固定部材１７に向かい合うように貼り付けられる。
【００４８】
拡散シート１９は、導光板１５の主面１５ｂ側に配置され、主面１５ｂから出射される光を拡散する部材である。具体的には、拡散シート１９は、主面１５ｂおよびＬＥＤ１４の上面の少なくとも一部を覆うように配置される。
【００４９】
プリズムシート２０は、拡散シート１９に対して導光板１５とは反対側に配置され、導光板１５の主面１５ｂを覆うように配置される。プリズムシート２０は、拡散シート１９により拡散された光の配光制御を行って、配光制御が行われた光を出射する部材である。
【００５０】
実施形態では、プリズムシート２０におけるＬＥＤ１４側の端部２０ａが、遮光部材１８と重なるように配置されるとよい。もし仮に、プリズムシート２０の端部２０ａが遮光部材１８に重ねられていないとすると、端部２０ａからプリズムシート２０の内部に入射した光が前方に伝播することにより、かかる光が輝線として視認される場合がある。これにより、面状照明装置１０における発光の品位が低下する恐れがある。
【００５１】
しかしながら、実施形態では、プリズムシート２０の端部２０ａが遮光部材１８と重ねられていることから、上述の輝線が視認されることを抑制することができる。したがって、実施形態によれば、面状照明装置１０における発光の品位を良好に維持することができる。
【００５２】
反射シート２１は、導光板１５の裏面１５ｃから漏れた光を反射して、ふたたび導光板１５に戻す部材である。反射シート２１は、両面テープ２２によりフレーム１１の底面１１ａ上に固定された状態で、導光板１５の裏面１５ｃとフレーム１１との間に配置される。
【００５３】
両面テープ２２は、一方の面が反射シート２１の少なくとも一部に貼り付けられ、他方の面がフレーム１１の底面１１ａに貼り付けられる。これにより、反射シート２１は底面１１ａ上に固定される。
【００５４】
＜変形例＞
次に、図６〜図９を参照しながら、実施形態の各種変形例について説明する。図６は、実施形態の変形例１に係る面状照明装置１０の断面図であり、実施形態の図５に対応する図面である。
【００５５】
図６に示す変形例１では、遮光部材１８の配置が実施形態と異なる。具体的には、変形例２にかかる遮光部材１８は、拡散シート１９の導光板１５側の面とは反対側の面に、拡散シート１９を介して切欠部１７ｄを含んだ第２固定部材１７と向かい合うように貼り付けられる。
【００５６】
これにより、切欠部１７ｄを通過した光が外部に漏れることを抑制することができる。したがって、変形例１によれば、面状照明装置１０における発光の品位を良好に維持することができる。
【００５７】
図７は、実施形態の変形例２に係る面状照明装置１０の断面図であり、実施形態の図５に対応する図面である。
【００５８】
図７に示す変形例２では、第２固定部材１７の構成が実施形態と異なる。具体的には、変形例２に係る第２固定部材１７は、基材１７ａとして機能する遮光部材１８と、かかる遮光部材１８における導光板１５側の面に設けられる接着層１７ｂとを有する。
【００５９】
そして、変形例２に係る第２固定部材１７は、遮光部材１８のみが設けられ、接着層１７ｂが設けられていない部位を有し、かかる部位には、接着層１７ｂが除かれた部分に間隙１７ｅが形成される。
【００６０】
ここで、変形例２では、かかる間隙１７ｅが、ＬＥＤ１４の発光面１４ａに対して、かかる発光面１４ａから光が出射される側に配置される。換言すると、接着層１７ｂは、ＬＥＤ１４の発光面１４ａに対して、かかる発光面１４ａから光が照射される側を除いた領域に設けられる。
【００６１】
これにより、変形例２では、発光面１４ａから導光板１５に入射された光が、第２固定部材１７の接着層１７ｂに当たって吸収されることを抑制することができる。したがって、変形例２によれば、面状照明装置１０の発光効率を良好に維持することができる。
【００６２】
また、変形例２では、実施形態と同様、間隙１７ｅを覆うように遮光部材１８が設けられていることから、間隙１７ｅを通過した光が外部に漏れることを抑制することができる。したがって、変形例２によれば、面状照明装置１０における発光の品位を良好に維持することができる。
【００６３】
図８は、実施形態の変形例３に係る面状照明装置１０の断面図であり、実施形態の図５に対応する図面である。
【００６４】
図８に示す変形例３では、遮光部材１８の配置が実施形態と異なる。具体的には、変形例３にかかる遮光部材１８は、第２固定部材１７の基材１７ａにおける接着層１７ｂが設けられる面とは反対の面に、切欠部１７ｄを覆うように設けられる。すなわち、変形例３では、遮光部材１８が、第２固定部材１７における導光板１５側の面とは反対側の面に設けられる。
【００６５】
これにより、切欠部１７ｄを通過した光が外部に漏れることを抑制することができる。したがって、変形例３によれば、面状照明装置１０における発光の品位を良好に維持することができる。
【００６６】
なお、変形例１〜変形例３では、実施形態と同様、プリズムシート２０におけるＬＥＤ１４側の端部２０ａが、遮光部材１８と重なるように配置されるとよい。これにより、端部２０ａからプリズムシート２０の内部に入射した光が前方に伝播して輝線として視認されることを抑制することができることから、面状照明装置１０における発光の品位を良好に維持することができる。
【００６７】
図９は、実施形態の変形例４に係る面状照明装置１０の断面図であり、実施形態の図３に対応する図面である。図９に示す変形例４では、ＦＰＣ１２が導光板１５の裏面１５ｃ側ではなく、主面１５ｂ側に配置される。具体的には、ＦＰＣ１２は、ＬＥＤ１４および導光板１５と、拡散シート１９との間に配置される。そして、ＦＰＣ１２の裏面１２ｂは、拡散シート１９の導光板１５側の面に当接する。
【００６８】
また、変形例４では、第１固定部材１６が、ＦＰＣ１２の主面１２ａと導光板１５の主面１５ｂとの間に配置され、導光板１５をＦＰＣ１２に固定する。
【００６９】
さらに、変形例４では、第２固定部材１７が、ＬＥＤ１４の実装面１４ｂとは反対側の面における導光板１５寄りの少なくとも一部と、導光板１５の裏面１５ｃにおけるＬＥＤ１４寄りの少なくとも一部とに接着される。すなわち、変形例４では、実施形態と同様、第２固定部材１７は、導光板１５に対して第１固定部材１６とは反対側に配置される。
【００７０】
このように、第１固定部材１６で導光板１５の主面１５ｂ側を固定し、第２固定部材１７で導光板１５の裏面１５ｃ側を固定することでも、導光板１５に対する固定部材の接着面積を増加させることができる。したがって、変形例４によれば、ＬＥＤ１４に対する導光板１５の固定力を向上させることができる。
【００７１】
なお、変形例４では、実施形態と同様、切欠部１７ｄ（図２参照）を含んだ第２固定部材１７を下側から覆うように、遮光部材１８を配置してもよい。これにより、切欠部１７ｄを通過した光が、フレーム１１の底面１１ａで反射して外部に漏れることを抑制することができる。したがって、変形例４によれば、面状照明装置１０における発光の品位を良好に維持することができる。
【００７２】
以上、本発明の実施形態について説明したが、本発明は上記実施形態に限定されるものではなく、その趣旨を逸脱しない限りにおいて種々の変更が可能である。たとえば、実施形態では、１つの発光面１４ａを有するＬＥＤ１４を用いた面状照明装置１０について示したが、２つ以上の発光面１４ａを有するＬＥＤ１４を用いてもよい。
【００７３】
以上のように、実施形態に係る面状照明装置１０は、導光板１５と、基板（ＦＰＣ１２）と、光源（ＬＥＤ１４）と、第１固定部材１６と、第２固定部材１７とを備える。導光板１５は、側面１５ａと主面１５ｂとを有し、側面１５ａから入射される光を主面１５ｂから出射する。基板（ＦＰＣ１２）は、導光板１５の主面１５ｂと略平行に配置される。光源（ＬＥＤ１４）は、基板（ＦＰＣ１２）上において導光板１５の側面１５ａに対向して設けられ、側面１５ａに入射される光を発する発光面１４ａを有する。第１固定部材１６は、導光板１５と基板（ＦＰＣ１２）との間に配置され、導光板１５を基板（ＦＰＣ１２）に固定する。第２固定部材１７は、導光板１５に対して第１固定部材１６とは反対側に配置され、導光板１５を光源（ＬＥＤ１４）に固定する。これにより、ＬＥＤ１４に対する導光板１５の固定力を向上させることができる。
【００７４】
また、実施形態に係る面状照明装置１０において、第２固定部材１７は、光源（ＬＥＤ１４）と導光板１５とに接着される接着層１７ｂを有し、接着層１７ｂは、光源（ＬＥＤ１４）の発光面１４ａに対して、かかる発光面１４ａから光が出射される側を除いた領域に設けられる。これにより、面状照明装置１０の発光効率を良好に維持することができる。
【００７５】
また、実施形態に係る面状照明装置１０において、光源（ＬＥＤ１４）は、基板（ＦＰＣ１２）上に複数配列され、接着層１７ｂは、隣接する光源（ＬＥＤ１４）間において、一方の光源（ＬＥＤ１４）の発光面１４ａの端部から、かかる端部に隣接する、他方の光源（ＬＥＤ１４）の発光面１４ａの端部に跨って設けられる。これにより、面状照明装置１０の発光効率を良好に維持することができる。
【００７６】
また、実施形態に係る面状照明装置１０は、光源（ＬＥＤ１４）の発光面１４ａに対して、かかる発光面１４ａから光が出射される側を覆うように配置される遮光部材１８をさらに備える。これにより、面状照明装置１０における発光の品位を良好に維持することができる。
【００７７】
また、実施形態に係る面状照明装置１０は、主面１５ｂを覆うように配置される拡散シート１９をさらに備え、遮光部材１８は、拡散シート１９に設けられる。これにより、面状照明装置１０における発光の品位を良好に維持することができる。
【００７８】
また、実施形態に係る面状照明装置１０において、第２固定部材１７は、基材１７ａと接着層１７ｂとを有し、遮光部材１８は、基材１７ａにおいて接着層１７ｂとは反対側の面に設けられる。これにより、面状照明装置１０における発光の品位を良好に維持することができる。
【００７９】
また、実施形態に係る面状照明装置１０において、第２固定部材１７は、遮光部材１８と接着層１７ｂとを有し、接着層１７ｂは、遮光部材１８において導光板１５側の面に設けられる。これにより、面状照明装置１０における発光の品位を良好に維持することができる。
【００８０】
また、実施形態に係る面状照明装置１０は、主面１５ｂを覆うように配置されるプリズムシート２０をさらに備え、プリズムシート２０の端部２０ａは、遮光部材１８に重なっている。これにより、面状照明装置１０における発光の品位を良好に維持することができる。
【００８１】
また、実施形態に係る面状照明装置１０において、第２固定部材１７は、主面１５ｂ側に配置される。これにより、ＦＰＣ１２を導光板１５の裏面１５ｃ側に配置することができることから、ＦＰＣ１２をフレーム１１に容易に取り付けることができる。
【００８２】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００８３】
１０  面状照明装置、１１  フレーム、１２  ＦＰＣ（基板）、１３  はんだ、１４  ＬＥＤ（光源）、１５  導光板、１５ａ  側面、１５ｂ  主面、１６  第１固定部材、１７  第２固定部材、１７ａ  基材、１７ｂ  接着層、１７ｃ  突出部、１７ｄ  切欠部、１８  遮光部材、１９  拡散シート、２０  プリズムシート
【図１】
2019061934.tif 000003
【図２】
2019061934.tif 000004
【図３】
2019061934.tif 000005
【図４】
2019061934.tif 000006
【図５】
2019061934.tif 000007
【図６】
2019061934.tif 000008
【図７】
2019061934.tif 000009
【図８】
2019061934.tif 000010
【図９】
2019061934.tif 000011
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
側面と主面とを有し、前記側面から入射される光を前記主面から出射する導光板と、
前記導光板の前記主面と略平行に配置される基板と、
前記基板上において前記導光板の前記側面に対向して設けられ、前記側面に入射される光を発する発光面を有する光源と、
前記導光板と前記基板との間に配置され、前記導光板を前記基板に固定する第１固定部材と、
前記導光板に対して前記第１固定部材とは反対側に配置され、前記導光板を前記光源に固定する第２固定部材と、
を備える、面状照明装置。
【請求項２】
前記第２固定部材は、前記光源と前記導光板とに接着される接着層を有し、
前記接着層は、前記光源の前記発光面に対して、当該発光面から光が出射される側を除いた領域に設けられる、
請求項１に記載の面状照明装置。
【請求項３】
前記光源は、前記基板上に複数配列され、
前記接着層は、隣接する光源間において、一方の光源の前記発光面の端部から、当該端部に隣接する、他方の光源の前記発光面の端部に跨って設けられる、
請求項２に記載の面状照明装置。
【請求項４】
前記接着層は、複数の前記光源の実装面とは反対側の面を一体で覆う基部と、前記光源の前記発光面に対して当該発光面から光が出射される側を除いた領域に設けられる複数の突出部とを有し、
前記基部には前記複数の突出部が櫛歯状に形成されている、
請求項３に記載の面状照明装置。
【請求項５】
前記光源の前記発光面に対して、当該発光面から光が出射される側を覆うように配置される遮光部材をさらに備える、
請求項２〜４のいずれか一つに記載の面状照明装置。
【請求項６】
前記遮光部材は、前記光源の少なくとも一部を覆うように配置される、
請求項５に記載の面状照明装置。
【請求項７】
前記主面および前記光源の少なくとも一部を覆うように配置される拡散シートをさらに備え、
前記遮光部材は、前記拡散シートに設けられる、
請求項５または６に記載の面状照明装置。
【請求項８】
前記第２固定部材は、基材と前記接着層とを有し、
前記遮光部材は、前記基材において前記接着層とは反対側の面に設けられる、
請求項５または６に記載の面状照明装置。
【請求項９】
前記第２固定部材は、前記遮光部材と前記接着層とを有し、
前記接着層は、前記遮光部材において前記導光板側の面に設けられる、
請求項５または６に記載の面状照明装置。
【請求項１０】
前記主面を覆うように配置されるプリズムシートをさらに備え、
前記プリズムシートの端部は、前記遮光部材に重なっている、
請求項５〜９のいずれか一つに記載の面状照明装置。
【請求項１１】
前記第２固定部材は、前記主面側に配置される、
請求項１〜１０のいずれか一つに記載の面状照明装置。
【手続補正２】
【補正対象書類名】明細書
【補正対象項目名】００５５
【補正方法】変更
【補正の内容】
【００５５】
図６に示す変形例１では、遮光部材１８の配置が実施形態と異なる。具体的には、変形例１にかかる遮光部材１８は、拡散シート１９の導光板１５側の面とは反対側の面に、拡散シート１９を介して切欠部１７ｄを含んだ第２固定部材１７と向かい合うように貼り付けられる。